(57)【要約】【課題】簡便な構成で、ケーブルドラム又はコイル状に巻かれたケーブル束５０からスムーズにケーブルを繰り出すことができるような、ケーブル繰り出し装置を提供する。【解決手段】キャスター２３を有するケーブル束載置台車２０がケーブル束を載置した状態で、中心軸部材１０を中心として、３つのキャスターが基盤部材３０から浮くことなく、摩擦の少ない基盤部材の上面で回転するので、スムーズにケーブルを繰り出すことができる。【選択図】図４
0003131023.tif 000002
【実用新案登録請求の範囲】
【請求項１】
ケーブルが巻き回されているケーブルドラム又はケーブルドラムに巻き回されておらずケーブルがコイル状に巻かれたケーブル束のいずれか一方を載置可能であり、該載置されたケーブルドラム又はケーブル束を水平面内で回転させることにより、該ケーブルドラム又はケーブル束からケーブルを繰り出し可能なケーブル繰り出し装置であって、
横断面が円形であり、前記回転の中心となる中心軸部材と、
前記中心軸部材を挿通可能な円形の被挿通部材と、該被挿通部材の周囲に１２０度間隔で放射状に３本設けられ、上面に前記ケーブルドラム又は前記ケーブル束を載置可能であり、下面にキャスターを有する載置部材とからなるケーブル束載置台車と、
該ケーブル束載置台車に前記ケーブル束を載置する際に前記３本の載置部材の各々に装着され、該載置部材に沿って移動可能な３本の支柱と、
前記キャスターが上面を転動可能であり、前記中心軸部材を保持可能な保持部を有し、下面が接地する基盤部材と、を備え、
前記中心軸部材が、前記ケーブル束載置台車及び前記基盤部材に対して脱着可能であることを特徴とするケーブル繰り出し装置。
【考案の詳細な説明】
【技術分野】
【０００１】
本考案は、主として電力用のケーブルが巻き回されているケーブルドラム又は該ケーブルがコイル状に巻かれたケーブル束を水平面内で回転させることにより、該ケーブルドラム又はケーブル束からケーブルを繰り出し可能なケーブル繰り出し装置に関する。
【背景技術】
【０００２】
従来より、上記の如きケーブル繰り出し装置としては、特許文献１に示すように、回転台の回転中心に設けた中心軸の下端を尖らし、かつ該中心軸を中心に所定の角度間隔で設けた３個以上のキャスターを有し、前記のキャスターのうち、一部のキャスターのみが接地し、他のキャスターは浮き上がるように、中心軸を高くできる構造のものが知られている。
【特許文献１】特開平１０−１４７４７６号公報
【考案の開示】
【考案が解決しようとする課題】
【０００３】
しかしながら、上記の如きケーブル繰り出し装置では、一部のキャスターのみが接地し他のキャスターは浮き上がっているため、回転のたびに接地するキャスターが変わって不安定であり、コイル状に巻かれたケーブル束からスムーズにケーブルを繰り出すことができないという問題点があった。
【０００４】
本考案は、このような背景のもとになされたものであり、その目的は、ケーブルドラム又はコイル状に巻かれたケーブル束からスムーズにケーブルを繰り出すことができるような、ケーブル繰り出し装置を提供することにある。
【課題を解決するための手段】
【０００５】
本考案は、前記課題を解決するために、次のような手段を採る。なお後述する考案を実施するための最良の形態の説明及び図面で使用した符号を参考のために括弧書きで付記するが、本考案の構成要素は該付記したものには限定されない。
【０００６】
即ち請求項１に係る考案は、ケーブルが巻き回されているケーブルドラム（５１）又はケーブルドラムに巻き回されておらずケーブルがコイル状に巻かれたケーブル束（５０）のいずれか一方を載置可能であり、該載置されたケーブルドラム又はケーブル束を水平面内で回転させることにより、該ケーブルドラム又はケーブル束からケーブルを繰り出し可能なケーブル繰り出し装置（１）であって、横断面が円形であり、前記回転の中心となる中心軸部材（１０）と、前記中心軸部材を挿通可能な円形の被挿通部材（２１）と、該被挿通部材の周囲に１２０度間隔で放射状に３本設けられ、上面に前記ケーブルドラム又は前記ケーブル束を載置可能であり、下面にキャスター（２３）を有する載置部材（２２）とからなるケーブル束載置台車（２０）と、該ケーブル束載置台車に前記ケーブル束を載置する際に前記３本の載置部材の各々に装着され、該載置部材に沿って移動可能な３本の支柱（２５）と、前記キャスターが上面を転動可能であり、前記中心軸部材を保持可能な保持部（３１）を有し、下面が接地する基盤部材（３０）と、を備え、前記中心軸部材が、前記ケーブル束載置台車及び前記基盤部材に対して脱着可能であることを特徴とするケーブル繰り出し装置である。
【考案の効果】
【０００７】
請求項１に係るケーブル繰り出し装置によれば、３つのキャスターを有するケーブル束載置台車が、中心軸部材を中心として、３つのキャスターが基盤部材から浮くことなく、摩擦の少ない基盤部材の上面で回転するので、ケーブルドラム又はコイル状に巻かれたケーブル束からスムーズにケーブルを繰り出すことができる。しかも中心軸部材が、ケーブル束載置台車及び基盤部材から脱着可能であるので、装置全体の移動が容易である。
【考案を実施するための最良の形態】
【０００８】
本考案に係るケーブル繰り出し装置１は、主として電力用のケーブルがコイル状に巻かれたケーブル束５０を水平面内で回転させることにより、該ケーブル束５０からケーブルを繰り出し可能なものである。ここでケーブル束５０には、図３に示すように、ケーブルドラム５１に巻き回されているものと、図４に示すように、ケーブルドラム５１に巻き回されていないものとが含まれる。
【０００９】
このケーブル繰り出し装置１は、図１及び図２に示すように、中心軸部材１０と、ケーブル束載置台車２０と、基盤部材３０とからなる。以下、ケーブル繰り出し装置１の各構成要素について説明する。
【００１０】
中心軸部材１０は、横断面が円形であり、回転の中心となる部材である。この中心軸部材１０は、ケーブルドラム５１の中心に設けられた円形の中心孔（図示外）に挿通可能な外径で、ケーブルドラム５１の高さよりも長い丸棒部材である。この中心軸部材１０は、重量を軽くしてケーブル繰り出し装置１の移動を容易にするために、中空の円管（単管）が好ましいが、中実の部材であっても良い。
【００１１】
ケーブル束載置台車２０は、中心軸部材１０を挿通可能な円形の被挿通部材２１と、該被挿通部材２１の周囲に１２０度間隔で放射状に３本設けられ、上面に前記ケーブル束５０を載置可能であり、下面にキャスター（自在車輪）２３を有する載置部材２２とからなるものである。
【００１２】
被挿通部材２１は、中心軸部材１０を挿通可能な内径の円管部材である。載置部材２２は、ここではリップ溝形鋼（Ｃ形鋼）であり、該リップ溝形鋼の開口部を上側に向けた状態で、被挿通部材２１の周囲に放射状に溶接されている。このように、載置部材２２が被挿通部材２１の周囲に１２０度間隔で放射状に３本設けられるので、溶接面を十分に取ることができて、ケーブル束載置台車２０を丈夫に構成することができる。この３本の載置部材２２の各々の下面には、キャスター２３が設けられる。このように、キャスター２３が３つ設けられるので、３点支持となって、ケーブル束載置台車２０を安定して回転させることができる。また３本の載置部材２２の各々の中間位置には、ケーブル束載置台車２０をケーブルドラム５１に取り付ける際の木ねじを挿通するための貫通孔である取付孔２２ａが穿設されている。なお図示しないが、載置部材２２は、載置されるケーブル束５０の直径に応じて、長さを延長するための継ぎ足し部材を取付可能としても良く、また載置部材２２自体の長さを伸縮可能としても良い。
【００１３】
基盤部材３０は、前記キャスター２３が上面を転動可能であり、前記中心軸部材１０を保持可能な保持部３１を有し、下面が接地する部材である。この基盤部材３０は、中心軸部材１０を挿通可能な内径の円管部材である保持部３１が中心に溶接された円板であり、重量を軽くしてケーブル繰り出し装置１の移動を容易にするために、薄くて丈夫な冷延鋼板が好ましい。この基盤部材３０の上面は、キャスター２３がスムーズに転動可能なように、設置面よりも摩擦が少ない低摩擦面となっており、平滑面であることが好ましい。なお該上面の全部が低摩擦面である必要はなく、キャスター２３の軌跡の部分のみが低摩擦面であっても良い。また基盤部材３０の下面は、ケーブルを繰り出す際に自身が回転してしまわないように、設置面に対して充分な摩擦を有する高摩擦面となっている。さらに基盤部材３０の外縁は、ケーブル束載置台車２０を押して容易に乗り降りさせることができるように、図示しないが、中心側から外側に向けて薄くなるように構成するのが好ましい。
【００１４】
このケーブル繰り出し装置１は、図２（ａ）に示すように、設置面に設置された基盤部材３０の上に、ケーブル束載置台車２０を押して乗せて、ケーブル束載置台車２０の被挿通部材２１と基盤部材３０の保持部３１との位置合わせを行い、図２（ｂ）に示すように、該位置合わせが行われた被挿通部材２１と保持部３１に中心軸部材１０を挿通することにより構成される。そして該中心軸部材１０を引き抜くことにより、各構成要素が分離される。
【００１５】
次に図３及び図４を参照して、ケーブル繰り出し装置１の使用方法について説明する。
【００１６】
図３に示すように、ケーブルドラム５１に巻き回されているケーブル束５０からケーブルを繰り出す場合には、まず（ａ）に示すように、ケーブルドラム５１の裏側にケーブル束載置台車２０を裏返して載せて、ケーブル束載置台車２０の被挿通部材２１とケーブルドラム５１の中心孔との位置合わせを行い、３つの取付孔２２ａの各々に木ねじを挿通してドリル５２で螺入することにより、ケーブルドラム５１にケーブル束載置台車２０を取り付ける。次に（ｂ）に示すように、ケーブル束載置台車２０を取り付けたケーブルドラム５１を裏返し、設置面に設置された基盤部材３０の上に、上面にケーブルドラム５１が取り付けられた（即ち上面にケーブル束５０が載置された）ケーブル束載置台車２０を押して乗せて、ケーブルドラム５１の中心孔とケーブル束載置台車２０の被挿通部材２１と基盤部材３０の保持部３１との位置合わせを行う。
【００１７】
そして（ｃ）に示すように、該位置合わせが行われた中心孔と被挿通部材２１と保持部３１に中心軸部材１０を挿通して、ケーブル束５０のケーブル端を引っ張ることにより、ケーブル束載置台車２０が、中心軸部材１０を中心として、３つのキャスター２３が基盤部材３０から浮くことなく、摩擦の少ない基盤部材３０の上面で回転するので、コイル状に巻かれたケーブル束５０からスムーズにケーブルを繰り出すことができる。
【００１８】
なおケーブルの繰り出し終了後には、中心軸部材１０を引き抜き、ケーブル束載置台車２０を押して基盤部材３０から降ろし、基盤部材３０と中心軸部材１０とをケーブルドラム５１の上に載せた状態でケーブル束載置台車２０を押して移動する。このように、中心軸部材１０が、ケーブル束載置台車２０及び基盤部材３０に対して脱着可能であるので、装置全体の移動が容易である。
【００１９】
図４に示すように、ケーブルドラム５１に巻き回されていないケーブル束５０からケーブルを繰り出す場合には、まず（ａ）に示すように、ケーブル束載置台車２０において、３本の各載置部材２２の内部に、該載置部材２２の内部を摺動可能な駒部材２４を取り付けると共に、該駒部材２４の上面に穿設されたねじ孔に、下端にねじが設けられた支柱２５を螺入することにより、図示の如きケーブル束載置台車２０を構成する。次に（ｂ）に示すように、ケーブル束載置台車２０の上面にケーブル束５０を載置し、３本の各支柱２５を該ケーブル束５０の内径一杯まで押し広げた状態で、設置面に設置された基盤部材３０の上に、該ケーブル束載置台車２０を押して乗せて、ケーブル束載置台車２０の被挿通部材２１と基盤部材３０の保持部３１との位置合わせを行う。
【００２０】
そして（ｃ）に示すように、該位置合わせが行われた被挿通部材２１と保持部３１に中心軸部材１０を挿通して、ケーブル束５０のケーブル端を引っ張ることにより、ケーブル束載置台車２０が、中心軸部材１０を中心として、３つのキャスター２３が基盤部材３０から浮くことなく、摩擦の少ない基盤部材３０の上面で回転するので、コイル状に巻かれたケーブル束５０からスムーズにケーブルを繰り出すことができる。
【００２１】
なおケーブルの繰り出し終了後には、中心軸部材１０を引き抜き、ケーブル束載置台車２０を押して基盤部材３０から降ろし、基盤部材３０と中心軸部材１０とケーブル束５０の上に載せた状態でケーブル束載置台車２０を押して移動する。このように、中心軸部材１０が、ケーブル束載置台車２０及び基盤部材３０に対して脱着可能であるので、装置全体の移動が容易である。
【図面の簡単な説明】
【００２２】
【図１】図１はケーブル繰り出し装置の一例を表す図であり、（ａ）は平面図，（ｂ）は正面図である。
【図２】図２はケーブル繰り出し装置の一例を表す斜視図である。
【図３】図３はケーブル繰り出し装置の第１の使用形態を表す斜視図である。
【図４】図４はケーブル繰り出し装置の第２の使用形態を表す斜視図である。
【符号の説明】
【００２３】
１…ケーブル繰り出し装置
１０…中心軸部材
２０…ケーブル束載置台車
２１…被挿通部材
２２…載置部材
２２ａ…取付孔
２３…キャスター
２４…駒部材
２５…支柱
３０…基盤部材
３１…保持部
５０…ケーブル束
５１…ケーブルドラム
５２…ドリル
【図１】
0003131023.tif 000003
【図２】
0003131023.tif 000004
【図３】
0003131023.tif 000005
【図４】
0003131023.tif 000006